(57)【要約】【課題】内部に庫室が形成された筐体と、筐体の前面開口を閉鎖するための外扉と、庫室の前面開口を閉鎖するための内扉とを備え、外扉を開いた場合でも内扉の外表面における結露の発生を防止し得る冷却貯蔵庫を提供する。【解決手段】冷却貯蔵庫(1)は、物品を低温状態で貯蔵するための庫室(SC)が内部に形成された筐体(10)と、筐体の前面開口を閉鎖するための外扉(20)と、筐体の内部の、外扉を閉じた状態において当該外扉の内表面から後方へ隔てた位置に配置された扉枠(11)と、扉枠の前面に取り付けられた透明な内扉(30)と、を備え、外扉及び内扉が共に閉じられた状態において、外扉と内扉の間に前室(FC)が形成され、内扉が閉じられた状態において、庫室と前室とを連通する通路が形成されている。【選択図】図２
2019132556.tif 000002
【特許請求の範囲】
【請求項１】
物品を低温状態で貯蔵するための庫室が内部に形成された筐体と、
前記筐体の前面開口を閉鎖するための外扉と、
前記筐体の内部の、前記外扉を閉じた状態において当該外扉の内表面から後方へ隔てた位置に配置された扉枠と、
前記扉枠の前面に取り付けられた透明な内扉と、を備え、
前記外扉及び前記内扉が共に閉じられた状態において、前記外扉と前記内扉の間に前室が形成され、
前記内扉が閉じられた状態において、前記庫室と前記前室とを連通する通路が形成されていることを特徴とする冷却貯蔵庫。
【請求項２】
前記通路は、前記内扉の上部及び下部において、前記内扉と前記扉枠との間に形成された左右方向に延在するギャップである、ことを特徴とする請求項１に記載の冷却貯蔵庫。
【請求項３】
前記通路のうち、前記内扉の上部に形成された前記ギャップは、前記内扉の内表面と前記扉枠の前面との間に形成された前後方向のギャップである、ことを特徴とする請求項２に記載の冷却貯蔵庫。
【請求項４】
前記通路は、前記内扉の上部及び下部に形成された左右方向に延在するスリットである、ことを特徴とする請求項１に記載の冷却貯蔵庫。
【請求項５】
前記内扉は、両開きの扉として形成されている、ことを特徴とする請求項１〜４のいずれか１項に記載の冷却貯蔵庫。
【請求項６】
前記内扉は、それぞれが上下方向に２分割された両開きの扉として形成されている、ことを特徴とする請求項５に記載の冷却貯蔵庫。
【請求項７】
前記外扉の中央部には、ペアガラスが嵌め込まれている、ことを特徴とする請求項１〜６のいずれか１項に記載の冷却貯蔵庫。
【請求項８】
前記庫室内には、前記扉枠の開口面に沿って下方へ向かう空気の流れが形成されている、ことを特徴とする請求項１〜７のいずれか１項に記載の冷却貯蔵庫。
【発明の詳細な説明】
【技術分野】
【０００１】
本発明は、物品を低温状態で貯蔵するための冷却貯蔵庫に関する。
【背景技術】
【０００２】
例えば飲料、食品等の物品を冷蔵状態（例えば約５℃の低温状態）または冷凍状態（例えば約−２０℃の低温状態）で貯蔵するための冷却貯蔵庫が知られている。
【０００３】
このような冷却貯蔵庫は、内部に物品貯蔵用の庫室が形成された筐体と、筐体の前面開口を閉鎖するための扉と、庫室内の空気を冷却するための冷却装置とを備えている。
【０００４】
このような冷却貯蔵庫においては、物品の出し入れのために扉を開くと、庫室内の冷気が外部に漏れ（あるいは、庫室内に外気が侵入し）、庫室内の温度が上昇してしまう。
【０００５】
これを防止するために、筐体の前面開口を閉鎖するための扉（以下、「外扉」という。）に加えて、外扉の後方に庫室の前面開口を閉鎖するための内扉を設けた冷却貯蔵庫が提案されている（例えば、特許文献１参照）。
【先行技術文献】
【特許文献】
【０００６】
【特許文献１】特開平８−４９９６１号公報
【発明の概要】
【発明が解決しようとする課題】
【０００７】
このような冷却貯蔵庫においては、内扉が透明な材料によって形成されており、外扉のみを開いた状態でも内扉を通して庫室内を視認できるうえ、この状態では内扉が閉じているため、庫室内の冷気が外部に漏れる（あるいは、庫室内に外気が侵入する）ことがなく、庫室内を低温に保つことができる。また、外扉と内扉の間の空間が断熱空気層として作用するため、冷却貯蔵庫の断熱性能を向上させることもできる。
【０００８】
しかしながら、外扉を開くと、外扉と内扉の間の空間に外気が侵入し、外気に含まれる水分が、庫室内の冷気との接触により低温となっている内扉の外表面で結露する。結露が発生すると、内扉が曇って不透明となるため、庫室内を視認するうえで妨げとなり好ましくない。
【０００９】
その対策として、結露の発生を防止、あるいは、発生した結露を事後的に除去（デフロスト）するために、内扉をフィルムヒータ等のヒータによって加熱することが有効であると考えられる。しかしながら、ヒータを設けると、加熱され高温となった内扉は、その外表面の結露を融解するためにこれを加熱するのみならず、その内表面に接触する庫室内の冷気をも加熱することになるため、庫室内の温度が上昇してしまうという問題が生じる。
【００１０】
本発明は、以上のような問題点に鑑みてなされたものであって、物品を低温状態で貯蔵するための庫室が内部に形成された筐体と、筐体の前面開口を閉鎖するための外扉と、庫室の前面開口を閉鎖するための内扉とを備え、外扉を開いた場合であっても内扉の外表面における結露の発生を防止することができる冷却貯蔵庫を提供することを目的とする。
【課題を解決するための手段】
【００１１】
上記課題を解決するために、本発明の冷却貯蔵庫は、物品を低温状態で貯蔵するための庫室が内部に形成された筐体と、前記筐体の前面開口を閉鎖するための外扉と、前記筐体の内部の、前記外扉を閉じた状態において当該外扉の内表面から後方へ隔てた位置に配置された扉枠と、前記扉枠の前面に取り付けられた透明な内扉と、を備え、前記外扉及び前記内扉が共に閉じられた状態において、前記外扉と前記内扉の間に前室が形成され、前記内扉が閉じられた状態において、前記庫室と前記前室とを連通する通路が形成されていることを特徴とする。
【００１２】
好ましくは、前記通路は、前記内扉の上部及び下部において、前記内扉と前記扉枠との間に形成された左右方向に延在するギャップである。
【００１３】
好ましくは、前記通路のうち、前記内扉の上部に形成された前記ギャップは、前記内扉の内表面と前記扉枠の前面との間に形成された前後方向のギャップである。
【００１４】
好ましくは、前記通路は、前記内扉の上部及び下部に形成された左右方向に延在するスリットである。
【００１５】
好ましくは、前記内扉は、両開きの扉として形成されている。
【００１６】
好ましくは、前記内扉は、それぞれが上下方向に２分割された両開きの扉として形成されている。
【００１７】
好ましくは、前記外扉の中央部には、ペアガラスが嵌め込まれている。
【００１８】
好ましくは、前記庫室内には、前記扉枠の開口面に沿って下方へ向かう空気の流れが形成されている。
【発明の効果】
【００１９】
本発明によれば、内扉が閉じられた状態において、外扉と内扉の間に形成された前室と庫室とを連通する通路が形成されているので、外扉が開かれて前室内に外気が侵入した場合であっても、結露の原因となる水分を含む前室内の空気が、蒸発器で除湿された庫室内の空気によって速やかに置換されることになる。これにより、除湿された空気中で内扉の外表面に付着した水分が蒸発し、結露（曇り）を速やかに解消することができるという優れた効果を得ることができる。さらに、外扉の一部がペアガラス等の透視可能な構造の場合、庫室内を良好に視認することができるという優れた効果も得ることができる。
【図面の簡単な説明】
【００２０】
【図１】本発明の冷却貯蔵庫の概略斜視図である。
【図２】本発明の冷却貯蔵庫を向かって左側から見た概略断面図である。
【図３】本発明の冷却貯蔵庫における内扉の一実施例を示す概略説明図である。
【図４】本発明の冷却貯蔵庫における内扉の他の実施例を示す概略説明図である。
【図５】本発明の冷却貯蔵庫における内扉のスリットの他の設置態様例を示す概略説明図である。
【発明を実施するための形態】
【００２１】
以下、本発明の実施形態について、図面を参照して詳細に説明する。
【００２２】
図１は、本発明の冷却貯蔵庫の概略斜視図、図２は、本発明の冷却貯蔵庫を向かって左側から見た概略断面図である。
【００２３】
冷却貯蔵庫１は、上部に配置された貯蔵部Ｓと、下部に配置された機械部Ｍとから構成されている。
【００２４】
貯蔵部Ｓは、前面開口を有する直方体状の筐体である外箱１０（筐体）と、外箱１０の前面開口を閉鎖するための外扉２０とを備えており、外箱１０及び外扉２０は、いずれも、内部に断熱材が充填された構造を有している。
【００２５】
外扉２０は、外箱１０の向かって左側（または右側）の側壁の前面に取り付けられたヒンジ（図示省略）を中心として回動することにより、外箱１０の前面開口を開閉する。
【００２６】
また、外扉２０の内表面の周縁部（外扉２０を閉じた状態で、外箱１０を構成する上下左右の壁の前面と対向する部位）には、外扉２０を閉じた状態で外箱１０の内部から冷気が外部へ漏れる（あるいは、外箱１０の内部に外気が侵入する）ことを防止するために、全周にわたってパッキン２２が取り付けられている。
【００２７】
さらに、外扉２０の中央部には、ペアガラス２４が嵌め込まれている。これにより、ペアガラス２４を構成する２枚のガラスの間の空間を断熱空気層として作用させることで断熱性を保ちつつ、外扉２０を閉じた状態でも内部を視認することが可能となる。なお、外扉２０を閉じた状態で内部を視認する必要がない場合は、ペアガラスを設けなくてもよい。
【００２８】
外箱１０の内部には、外扉２０を閉じた状態で外扉２０の内表面から後方へ隔てて配置された矩形の扉枠１１が設けられており、扉枠１１の前面には、内扉３０が取り付けられている。これにより、外扉２０及び内扉３０を閉じた状態において、外箱１０の内部空間は、内扉３０によって、外扉２０と内扉３０の間に形成される前室ＦＣと、内扉３０の後方に形成された庫室ＳＣとに区分されることになる（図２参照）。なお、扉枠１１は、外箱１０の上下左右の壁の内面にこれと一体のものとして形成してもよいし、その一部を別部品として、あるいは、後述する内箱４０の上下左右の壁の前端部によって形成してもよい。
【００２９】
内扉３０は、アクリル等の透明な材料によって形成されており、外扉２０のみを開いた状態でも内扉３０を通して庫室ＳＣ内を視認できるうえ、この状態では内扉３０が閉じているため、庫室ＳＣ内に外気が侵入することがなく、庫室ＳＣ内を低温に保つことができる。また、外扉２０と内扉３０の間に形成される前室ＦＣが断熱空気層として作用するため、冷却貯蔵庫１の断熱性能を向上させることもできる。
【００３０】
内扉３０は、図１に示すように、扉枠１１の前面の左側及び右側にそれぞれ取り付けられたヒンジを中心として回動する両開きの扉として形成されている。しかしながら、内扉３０は、扉枠１１の前面の左側または右側に取り付けられたヒンジを中心として回動する片開きの扉として形成されていてもよい。
【００３１】
外箱１０の内部であって、閉じられた状態の内扉３０より後方の部位には、図２に示すように、内箱４０が配置されている。
【００３２】
内箱４０は、前面開口を有する直方体状の筐体であり、上部壁４２、後部壁４４及び下部壁４６、並びに、左右の側壁から構成されている。
【００３３】
内箱４０の上部壁４２、後部壁４４及び下部壁４６は、外箱１０の上部壁１２、後部壁１４及び下部壁１６のそれぞれの内面から隔てて配置されている。これにより、外箱１０と内箱４０の間には、冷気が循環する冷気ダクトＣが形成されている。
【００３４】
内箱４０の上部壁４２及び下部壁４６には、それぞれ開口部４２Ａ及び４６Ａが形成されている。また、内箱４０の上部壁４２は、扉枠１１の後面から後方へ隔てて配置されており、これにより、上部壁４２の前端と扉枠１１の間には、冷気通路４２Ｐが形成されている。
【００３５】
冷気ダクトＣのうち、外箱１０の後部壁１４と内箱４０の後部壁４４の間の部位の、高さ方向における中央部近傍には、後述する冷却装置５０を構成する蒸発器５６が、その上方には、送風ファン５６Ｆが、それぞれ配置されている。
【００３６】
機械部Ｍは、外箱１０の下方に配置された機械室ＭＣを含み、機械室ＭＣ内には、庫室ＳＣ内の空気を冷却するための冷却装置５０が収納されている。
【００３７】
冷却装置５０は、主な構成機器として圧縮機５２、凝縮器５４、膨張機構（図示省略）及び蒸発器５６を含み、冷凍サイクルを実行する。これらの機器のうち、圧縮機５２、凝縮器５４及び膨張機構（図示省略）は機械室ＭＣ内に配置されているが、蒸発器５６は、上述したとおり、冷気ダクトＣ内に配置されている。
【００３８】
以上の構成を有することにより、蒸発器５６を通過する際に冷却された庫室ＳＣ内の空気は、送風ファン５６Ｆの作用により、冷気ダクトＣのうち外箱１０の後部壁１４と内箱４０の後部壁４４の間の部位を上方へ流れ、その一部が、内箱４０の上部壁４２に設けられた開口部４２Ａを通って庫室ＳＣ内に流入する。残りの空気は、内箱４０の上部壁４２の前端と扉枠１１の間に形成された冷気通路４２Ｐを通って庫室ＳＣ内に流入し、閉じられた状態の内扉３０の内表面、即ち扉枠１１の開口面に沿う下向きの流れを形成する。この空気の流れはエアカーテンとして作用し、内扉３０が開かれた際に、庫室ＳＣ内への外気の侵入を防止する。庫室ＳＣ内を下方へ流れた冷気は、内箱４０の下部壁４６に設けられた開口部４６Ａを通って庫室ＳＣから冷気ダクトＣへ戻り、その後、蒸発器５６へと還流する。
【００３９】
そして、本発明の冷却貯蔵庫１においては、外扉２０を開いた場合であっても、内扉３０の外表面（前室ＦＣに臨む面）に結露が発生することを防止するため、内扉３０が以下で説明する特徴を具えている。
【００４０】
即ち、本発明の冷却貯蔵庫１において、内扉３０は、当該内扉３０が閉じた状態（閉位置にある状態）において、庫室ＳＣと前室ＦＣを連通する通路が形成されるような態様のものとされている。これについて、以下で詳述する。
【００４１】
なお、上述した特徴が示すとおり（また、以下で詳述するとおり）、内扉３０は如何なる状態においても扉枠１１の内側の開口を完全に閉鎖するものではないため、内扉３０の「閉位置」は、内扉３０の回動範囲内において、内扉３０の内表面が扉枠１１の前面に最も接近する位置を指すものと定義する。
【００４２】
図３は、本発明の冷却貯蔵庫１における内扉の一実施例を示す概略説明図であり、内扉３０が閉位置にある状態を示している。（ａ）は内扉３０を正面から見た図、（ｂ）は（ａ）のＴ方向矢視図（トップビュー）、（ｃ）は（ａ）のＢ方向矢視図（ボトムビュー）、（ｄ）は（ａ）のＸ−Ｘ拡大断面図、（ｅ）は（ａ）のＹ−Ｙ拡大断面図を示す。
【００４３】
本実施例において、内扉３０は、扉枠１１の前面の向かって左側及び右側に取り付けられたヒンジ１１Ｈを中心としてそれぞれ回動する内扉３０Ｌ及び３０Ｒから成る両開きの扉として形成されている。また、左右の内扉３０Ｌ及び３０Ｒは共に上下に２分割され、それぞれ内扉セクション３０ＬＵ及び内扉セクション３０ＬＬ、内扉セクション３０ＲＵ及び内扉セクション３０ＲＬから成っている。
【００４４】
そして、左右の内扉３０Ｌ及び３０Ｒは、いずれも、その上下方向の寸法が、扉枠１１の内法（うちのり）寸法よりも大きく形成されており、これにより、内扉セクション３０ＬＵ及び３０ＲＵの上端部、及び、内扉セクション３０ＬＬ及び３０ＲＬの下端部は、前後方向に扉枠１１とオーバーラップしている。
【００４５】
それと同時に、左右の内扉３０Ｌ及び３０Ｒは、（ｂ）のＴ方向矢視図（トップビュー）及び（ｃ）のＢ方向矢視図（ボトムビュー）に示すように、扉枠１１の前面から前方へ隔たっている。これは、内箱４０の内部を左右に仕切る隔壁４８（図１参照）の前面の上部及び下部に、内扉３０の閉位置において左右の内扉３０Ｌ及び３０Ｒの内表面と接触するストッパ４８Ｓが取り付けられており、当該ストッパ４８Ｓの前面が扉枠１１の前面より前方へ突出していることによる。これにより、内扉３０の上部及び下部において、その内表面と扉枠１１の前面との間に、それぞれ前後方向のギャップＧＵ及びＧＬが形成されている。
【００４６】
なお、ストッパは、隔壁４８の前面に代えて、扉枠１１の前面や左右の内扉３０Ｌ及び３０Ｒの内表面に取り付けてもよい。
【００４７】
また、上述したように、左右の内扉３０Ｌ及び３０Ｒがそれぞれ上下に２分割されていることにより、内扉セクション３０ＬＵ及び３０ＲＵと内扉セクション３０ＬＬ及び３０ＲＬの間には、ギャップＧＭが形成されている。
【００４８】
内扉３０の上部及び下部にそれぞれ形成されるギャップＧＵ及びＧＬは、（ｄ）のＸ−Ｘ拡大断面図及び（ｅ）のＹ−Ｙ拡大断面図にそれぞれ矢印ＡＥ及びＡＩで示すように、庫室ＳＣと前室ＦＣとを連通する通路を形成する。同様に、内扉３０の上下方向の中央部に形成されるギャップＧＭも、庫室ＳＣと前室ＦＣとを連通する通路を形成する。
【００４９】
以上のように構成されていることにより、庫室ＳＣ内を循環する冷気の一部は、ギャップＧＵ及びＧＭを経て前室ＦＣ内へ流出し、内扉３０の外表面に沿って下方へ流れた後、ギャップＧＬを経て再び庫室ＳＣ内へ流入する。ギャップＧＬを経て庫室ＳＣ内へ流入する流れは、送風ファン５６Ｆの作用により、内箱４０の下部壁４６に設けられた開口部４６Ａを通じて、庫室ＳＣ内の空気が冷気ダクトＣ内へ吸引されていることにより生じるものである。
【００５０】
上述した冷気の流れが生じていることにより、外扉２０が開かれて前室ＦＣ内に外気が侵入した場合であっても、高温・高湿度の状態となった前室ＦＣ内の空気は、ギャップＧＵ及びＧＭを経て庫室ＳＣ内から流入する低温・低湿度の空気によって置換されることになる。したがって、内扉３０の外表面における結露の発生を防止することができる。
【００５１】
この結露発生防止効果は、ギャップＧＵ、ＧＭ及びＧＬが内扉３０の左右方向の全域にわたって延在するものとして形成されていることにより、一層顕著なものとなっている。即ち、ギャップＧＵ、ＧＭ及びＧＬが内扉３０の左右方向の全域にわたって延在していることにより、庫室ＳＣ内から流出した低温・低湿度の空気は内扉３０のほぼ全面に沿って下方へ流れ、結露発生防止効果は、内扉３０のほぼ全面において現れることになる。
【００５２】
なお、図３に示した実施例においては、内扉３０の上部に形成されるギャップＧＵを、（ｄ）のＸ−Ｘ拡大断面図に示されるように蛇行する通路を形成するものとしている。これは、ギャップＧＵの形成される位置が、冷気ダクトＣのうち外箱１０の上部壁１２と内箱４０の上部壁４２の間の部位を前方へ流れる冷気が衝突する位置にあたるため、庫室ＳＣ内から前室ＦＣ内へ過剰に多くの冷気が流出することを防止すべく、通路の流体抵抗を増大させることを意図したものである。
【００５３】
同実施例においては、内扉セクション３０ＬＵ及び３０ＲＵと内扉セクション３０ＬＬ及び３０ＲＬとを同一形状の部品（即ち、共通部品）としているため、内扉３０の下部に形成されるギャップＧＬも、（ｅ）のＹ−Ｙ拡大断面図に示されるように蛇行する通路を形成するものとなっている。しかしながら、前室ＦＣ内から庫室ＳＣ内へ冷気を吸引する機能を有する当該ギャップＧＬは、必ずしも、流体抵抗を増大させた通路を形成するものとする必要はない。したがって、図３に破線で示すように、内扉セクション３０ＬＬ及び３０ＲＬの上下方向の寸法を短縮することにより、庫室ＳＣと前室ＦＣとを前後方向に直線的に連通する通路となるギャップＧＬ‘を形成してもよい。
【００５４】
また、図１〜図３に示した実施例においては、左右の内扉３０Ｌ及び３０Ｒを共に上下に２分割された構造のものとしているが、上下方向の分割数を３以上としてもよいし、逆に、上下方向に分割しなくてもよい。左右の内扉３０Ｌ及び３０Ｒを共に上下に２分割しない場合であっても、内扉３０の左右方向の全域にわたって延在するギャップＧＵを経て庫室ＳＣ内から前室ＦＣ内へ冷気が流出するので、十分な結露発生防止効果を得ることができる。
【００５５】
なお、図１〜図３に示した実施例においては、内扉３０と扉枠１１とが接触していないので、結露により生じた水分が、内扉３０の外縁部と扉枠１１とに跨って付着することがなく、これが凍結することにより内扉３０と扉枠１１とが氷着し、内扉３０の開閉が困難となることが防止される。
【００５６】
図４は、本発明の冷却貯蔵庫１における内扉の他の実施例を示す概略説明図であり、内扉１３０が閉位置にある状態を示している。図３と同様、（ａ）は内扉１３０を正面から見た図、（ｂ）は（ａ）のＴ方向矢視図（トップビュー）、（ｃ）は（ａ）のＢ方向矢視図（ボトムビュー）、（ｄ）は（ａ）のＸ−Ｘ拡大断面図、（ｅ）は（ａ）のＹ−Ｙ拡大断面図を示す。
【００５７】
本実施例が、図３を用いて説明した実施例と異なる点は、内扉１３０を構成する左右の内扉１３０Ｌ及び１３０Ｒが、（ｂ）のＴ方向矢視図（トップビュー）及び（ｃ）のＢ方向矢視図（ボトムビュー）に示すように、扉枠１１１の前面と接触している点である。このような配置においては、内扉１３０の上部及び下部において、その内表面と扉枠１１１の前面との間に、ギャップは形成されない。
【００５８】
そこで、本実施例においては、図３を用いて説明した実施例におけるギャップＧＵ及びＧＬに代えて庫室ＳＣと前室ＦＣとを連通する通路を形成するものとして、左右の内扉１３０Ｌ及び１３０Ｒのそれぞれの上部及び下部に、それぞれ左右方向に延在するスリットＳＵ及びＳＬを設けている。より具体的には、向かって左側の内扉１３０Ｌを構成する内扉セクション１３０ＬＵ及び１３０ＬＬのそれぞれの上部及び下部の、扉枠１１１の前面と前後方向に重ならない位置に、スリットＳＵ及びＳＬを設けている。同様に、向かって右側の内扉１３０Ｒを構成する内扉セクション１３０ＲＵ及び１３０ＲＬのそれぞれの上部及び下部の、扉枠１１１の前面と前後方向に重ならない位置にも、スリットＳＵ及びＳＬを設けている。
【００５９】
これにより、庫室ＳＣ内を循環する冷気の一部は、スリットＳＵを経て前室ＦＣ内へ流出し、内扉１３０の外表面に沿って下方へ流れた後、スリットＳＬを経て再び庫室ＳＣ内へ流入することとなり、図３を用いて説明した実施例と同様に、内扉１３０の外表面における結露の発生を防止することができる。
【００６０】
なお、本実施例においても、左右の内扉１３０Ｌ及び１３０Ｒの上下方向の分割数を３以上としてもよいし、逆に、上下方向に分割しなくてもよい。
【００６１】
なお、スリットの設置態様は、図４に示されたものに限定されない。本発明の冷却貯蔵庫１における内扉のスリットの他の設置態様例を、図５を参照して以下で説明する。
【００６２】
スリットＳＵ及びＳＬは、図４に示された実施例においては、内扉の上部及び下部のそれぞれに設けられているが、図５（ａ）及び（ｂ）に示すように、扉枠２１１のうち、それぞれ内扉２３０ＬＵの上端よりも上方及び内扉２３０ＬＬの下端よりも下方に位置する部位に設けてもよい。
【００６３】
また、特に内扉の上部に設けられるスリットについては、内扉３３０ＬＵのうちスリットＳＵの上側に隣接する部位を、前方へ（即ち、前室ＦＣ側へ）突出させたルーバＬＶとして形成（図５（ｃ）参照）、あるいは、内扉４３０ＬＵに設けられるスリットＳＵを後方から前方へ向かって下向きに傾斜した形状のものとして形成（図５（ｄ）参照）してもよい。これにより、庫室ＳＣ内からスリットＳＵを経て前室ＦＣ内へ流出する冷気が、より確実に内扉の外表面に沿って流れるようになり、結露の防止または解消の効果を上げることができる。
【００６４】
さらに、特に内扉の上部に設けられるスリットについては、庫室ＳＣ内において内扉５３０ＬＵに設けられたスリットＳＵに対向する位置に遮風板（壁）ＢＦを配置（図５（ｅ）参照）、あるいは、内扉６３０ＬＵのうちスリットＳＵの上側に隣接する部位を、後方へ（即ち、庫室ＳＣ側へ）突出させたルーバＬＶとして形成（図５（ｆ）参照）してもよい。これにより、スリットＳＵにより形成される通路の流体抵抗を増大し、庫室ＳＣ内から前室ＦＣ内へ過剰に多くの冷気が流出することを防止することができる。
【符号の説明】
【００６５】
１                冷却貯蔵庫
１０              外箱（筐体）
１１、１１１      扉枠
２０              外扉
２４              ペアガラス
３０、１３０      内扉
ＦＣ              前室
ＳＣ              庫室
ＧＵ，ＧＭ，ＧＬ  ギャップ（通路）
ＳＵ，ＳＬ        スリット（通路）
【図１】
2019132556.tif 000003
【図２】
2019132556.tif 000004
【図３】
2019132556.tif 000005
【図４】
2019132556.tif 000006
【図５】
2019132556.tif 000007